【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
ドキュメントデータ内の各ドキュメント要素に対してリンク付けを行うためのドキュメントデータのリンク付け装置であって、
ドキュメント要素識別情報とそれに対応するリンク先アドレスとが登録されたエントリを記憶するリンク先テーブルと、
ドキュメントデータから抽出されたドキュメント要素に対応するリンク先アドレスが前記リンク先テーブルに登録されているか否かを判断する判断モジュールと、
前記判断モジュールが前記リンク先アドレスが登録されていないと判断したドキュメント要素について、それを検索サイトに問い合せることにより、それに対応しリンク先アドレスとそのリンク先情報とを含む検索結果を受信する問合せモジュールと、
該検索結果に含まれるリンク先情報と前記ドキュメントデータの内容との類似度を検出する類似度検出モジュールと、
該類似度の検出結果に基づいて、類似度の高い検索結果を選択し、該選択された各検索結果のリンク先アドレスと、現在選択されているドキュメント要素を識別するためのドキュメント要素識別情報とが登録されたエントリを前記リンク先テーブルに登録すると共に、該エントリへのアクセス情報を前記ドキュメントデータ内の現在選択されているドキュメント要素に対応させて記憶するリンク先アドレス設定モジュールと、
を含むことを特徴とするドキュメントデータのリンク付け装置。
【請求項２】
請求項１に記載の装置であって、
前記ドキュメントデータは文書データであり、前記ドキュメント要素はワードデータであり、
前記検索結果に含まれるリンク先情報は、リンク先アドレスの説明文データであり、
前記類似度検出モジュールは、該検索結果のそれぞれについて、それに含まれる説明文データ内のワードの前記文書データ内での出現頻度を集計して前記類似度として検出する、
ことを特徴とするドキュメントデータのリンク付け装置。
【請求項３】
請求項１に記載の装置であって、
前記ドキュメントデータ内の各ドキュメント要素に対するリンク付けは、該ドキュメントデータが編集されたタイミングで実行される、
ことを特徴とするドキュメントデータのリンク付け装置。
【請求項４】
請求項３に記載の装置であって、
前記ドキュメントデータ内の各ドキュメント要素に対するリンク付けは、編集によって更新されたドキュメント要素に対して実行される、
ことを特徴とするドキュメントデータのリンク付け装置。
【請求項５】
請求項３に記載の装置であって、
前記ドキュメントデータ内のユーザによって指定されたドキュメント要素に対して前記リンク付けが実行される、
ことを特徴とするドキュメントデータのリンク付け装置。
【請求項６】
請求項１に記載の装置であって、
前記リンク先テーブル内の各エントリにおける各リンク先アドレスの登録内容を編集するリンク先テーブル編集モジュールを更に含む、
ことを特徴とするドキュメントデータのリンク付け装置。
【請求項７】
請求項１に記載の装置によってリンク付けされたドキュメントデータ内の各ドキュメント要素におけるリンク先アドレスの表示／アクセス装置であって、
指定されたドキュメント要素に対応して記憶されている前記アクセス情報に基づき、前記リンク先テーブル内の対応するエントリからリンク先アドレスのリストを抽出するリスト抽出モジュールと、
該抽出されたリンク先アドレスのリストを前記ドキュメント要素に対応させて表示するリスト表示モジュールと、
該表示されたリンク先アドレスのリストから選択されたリンク先アドレスのサイトに対して、該リンク先アドレスによって指定されるリソースの要求をネットワークを介して送信し、該サイトから受信された該要求リソースを処理するアクセスモジュールと、
を含むことを特徴とするリンク先アドレスの表示／アクセス装置。
【請求項８】
請求項１に記載の装置によってリンク付けされたドキュメントデータ内の各ドキュメント要素におけるリンク先アドレスのアクセス装置であって、
指定されたドキュメント要素に対応して記憶されている前記アクセス情報に基づき、前記リンク先テーブル内の対応するエントリからリンク先アドレスのリストを抽出するリスト抽出モジュールと、
該抽出されたリンク先アドレスのリストから所定の規則に従って選択されたリンク先アドレスのサイトに対して、該リンク先アドレスによって指定されるリソースの要求をネットワークを介して送信し、該サイトから受信された該要求リソースを処理するアクセスモジュールと、
を含むことを特徴とするリンク先アドレスのアクセス装置。
【請求項９】
請求項７又は８の何れか１項に記載の装置であって、
前記リンク先テーブル内の各エントリ内の各リンク先アドレス毎に、該リンク先アドレスへのアクセス頻度が記憶され、
請求項７に記載のリスト表示モジュール又は請求項８に記載のアクセスモジュールは、前記リンク先テーブルに記憶された各アクセス頻度に対応した優先順位で、前記リンク先アドレスを表示又はアクセスする、
ことを特徴とするリンク先アドレスの表示／アクセス装置又はリンク先アドレスのアクセス装置。
【請求項１０】
請求項１に記載の装置によってリンク付けされたドキュメントデータファイルの配付装置であって、
前記ドキュメントデータ内のリンク付けされた各ドキュメント要素毎に、該ドキュメント要素に対応して記憶されている前記アクセス情報に基づき、前記リンク先テーブル内の対応するエントリ内容を抽出するリンク先テーブルエントリ内容抽出モジュールと、
前記各ドキュメント要素毎に、前記抽出されたエントリ内容を前記ドキュメントデータファイル内の新たなリンク先テーブルであるファイル内リンク先テーブルに登録すると共に、前記各ドキュメント要素に対応して記憶されている前記アクセス情報を、前記ファイル内リンク先テーブル内の対応するエントリに対応する情報に更新するファイル内リンク先テーブル登録モジュールと、
を含むことを特徴とするドキュメントデータファイルの配付装置。
【請求項１１】
コンピュータにより使用されたときにそれによって読み出されるプログラムを記録した記録媒体であって、
ドキュメント要素識別情報とそれに対応するリンク先アドレスとが登録されたエントリを有するリンク先テーブルを記憶する機能と、
ドキュメントデータから抽出されたドキュメント要素に対応するリンク先アドレスが前記リンク先テーブルに登録されているか否かを判断する機能と、
前記リンク先アドレスが登録されていないと判断したドキュメント要素について、それを検索サイトに問い合せることにより、それに対応しリンク先アドレスとそのリンク先情報とを含む検索結果を受信する問合せモジュールと、
ドキュメントデータ内のドキュメント要素について、それを所定の検索サイトに問い合せることにより、それに対応しリンク先アドレスとそのリンク先情報とを含む検索結果を受信する問合せ機能と、
該検索結果に含まれるリンク先情報と前記ドキュメントデータの内容との類似度を検出する類似度検出機能と、
該類似度の検出結果に基づいて、類似度の高い検索結果を選択し、該選択された各検索結果のリンク先アドレスと、現在選択されているドキュメント要素を識別するためのドキュメント要素識別情報とが登録されたエントリを前記リンク先テーブルに登録すると共に、該エントリへのアクセス情報を前記ドキュメントデータ内の現在選択されているドキュメント要素に対応させて記憶するリンク先アドレス設定機能と、
を前記コンピュータに行わせるためのプログラムを記録したコンピュータ読出し可能記録媒体。
【請求項１２】
コンピュータにより使用されたときにそれによって読み出されるプログラムを記録した記録媒体であって、
ドキュメント要素識別情報とそれに対応するリンク先アドレスとが登録されたエントリを有するリンク先テーブルにアクセスする機能と、
請求項１に記載の装置又は請求項１１に記載のコンピュータ読出し可能記録媒体が実行されるコンピュータによってリンク付けされたドキュメントデータ内の指定されたドキュメント要素に対応して記憶されているアクセス情報に基づき、
前記リンク先テーブル内の対応するエントリからリンク先アドレスのリストを抽出するリスト抽出機能と、
該抽出されたリンク先アドレスのリストを前記ドキュメント要素に対応させて表示するリスト表示機能と、
該表示されたリンク先アドレスのリストから選択されたリンク先アドレスのサイトに対して、該リンク先アドレスによって指定されるリソースの要求をネットワークを介して送信し、該サイトから受信された該要求リソースを処理するアクセス機能と、
を前記コンピュータに行わせるためのプログラムを記録したコンピュータ読出し可能記録媒体。
【手続補正２】
【補正対象書類名】明細書
【補正対象項目名】０００５
【補正方法】変更
【補正の内容】
【０００５】
本発明の課題は、任意の文書中の各ワードに自動的にそれに対応するリンク先アドレスを付与可能とすることにある。


【手続補正３】
【補正対象書類名】明細書
【補正対象項目名】０００７
【補正方法】変更
【補正の内容】
【０００７】
そして、この本発明の第１の態様では、まず、ドキュメントデータから抽出されたドキュメント要素に対応するリンク先アドレスが前記リンク先テーブルに登録されているか否かを判断し、登録されていないと判断したドキュメント要素を検索サイトに問い合せることにより、それに対応しリンク先アドレスとそのリンク先情報（説明文等）とを含む検索結果が受信される。


【手続補正４】
【補正対象書類名】明細書
【補正対象項目名】０００８
【補正方法】変更
【補正の内容】
【０００８】
続いて、その検索結果に含まれるリンク先情報と前記ドキュメントデータの内容との類似度が検出され、類似度の高い検索結果が選択され、その選択された組のリンク先アドレスと、現在選択されているドキュメント要素を識別するためのドキュメント要素識別情報（ワード名等）とが登録されたエントリがリンク先テーブルに登録される。これと共に、そのエントリへのアクセス情報（ポインタ）がドキュメントデータ内の現在選択されているドキュメント要素に対応させて記憶される。
このようにして、本発明の第１の態様では、ドキュメントデータ中の各ドキュメント要素に対する自動リンク付けが実現されると共に、リンク先テーブルを設け、ドキュメントデータ中の各ドキュメント要素の位置にはリンク先テーブル内のエントリへのアクセス情報のみを記憶させることにより、重複するドキュメント要素位置毎にリンク先アドレスのグループを重複して記憶する必要がなくなり、リンク先アドレスを効率的に設定することができる。


【手続補正５】
【補正対象書類名】明細書
【補正対象項目名】０００９
【補正方法】変更
【補正の内容】
【０００９】
本発明の第２の態様は、本発明の第１の態様の装置によってリンク付けされたドキュメントデータ内の各ドキュメント要素におけるリンク先アドレスの表示／アクセス装置を前提とする。
そして、本発明の第２の態様では、まず、指定されたドキュメント要素に対応して記憶されているアクセス情報に基づき、リンク先テーブル内の対応するエントリからリンク先アドレスのリストが抽出され、そのリストがドキュメント要素に対応させて表示される。


【手続補正６】
【補正対象書類名】明細書
【補正対象項目名】００１０
【補正方法】変更
【補正の内容】
【００１０】
そして、ユーザによってその表示されたリンク先アドレスのリストから選択されたリンク先アドレスのサイトに対して、そのリンク先アドレスによって指定されるリソースの要求がネットワークを介して送信され、そのサイトから受信された要求リソースが表示等される。


【手続補正７】
【補正対象書類名】明細書
【補正対象項目名】００１１
【補正方法】変更
【補正の内容】
【００１１】
このようにして、本発明の第２の態様では、自動リンク付けされたドキュメントデータ内の各ドキュメント要素から、即座に対応するリンク先アドレスにアクセスすることができる。
本発明の第３の態様は、本発明の第１の態様の装置によってリンク付けされたドキュメントデータ内の各ドキュメント要素におけるリンク先アドレスのアクセス装置を前提とする。


【手続補正８】
【補正対象書類名】明細書
【補正対象項目名】００１２
【補正方法】変更
【補正の内容】
【００１２】
本発明の第３の態様では、まず、指定されたドキュメント要素に対応して記憶されているアクセス情報に基づき、リンク先テーブル内の対応するエントリからリンク先アドレスのリストが抽出される。
そして、その抽出されたリンク先アドレスのリストから所定の規則に従って選択されたリンク先アドレスのサイトに対して、そのリンク先アドレスによって指定されるリソースの要求がネットワークを介して送信され、そのサイトから受信された要求リソースが表示等される。


【手続補正９】
【補正対象書類名】明細書
【補正対象項目名】００１３
【補正方法】変更
【補正の内容】
【００１３】
このようにして、本発明の第３の態様も本発明の第２の態様と同様に、自動リンク付けされたドキュメントデータ内の各ドキュメント要素から、即座に対応するリンク先アドレスにアクセスすることができる。
本発明の第４の態様は、本発明の第１の態様の装置によってリンク付けされたドキュメントデータファイルの配付装置を前提とする。


【手続補正１０】
【補正対象書類名】明細書
【補正対象項目名】００５５
【補正方法】変更
【補正の内容】
【００５５】
【発明の効果】
本発明の第１の態様として実現されるドキュメントデータのリンク付け装置によれば、ドキュメントデータ中の各ドキュメント要素に対する自動リンク付けが実現されると共に、リンク先テーブルを設け、ドキュメントデータ中の各ドキュメント要素の位置にはリンク先テーブル内のエントリへのアクセス情報のみを記憶させることにより、重複するドキュメント要素位置毎にリンク先アドレスのグループを重複して記憶する必要がなくなり、リンク先アドレスを効率的に設定することが可能となる。


【手続補正１１】
【補正対象書類名】明細書
【補正対象項目名】００５６
【補正方法】変更
【補正の内容】
【００５６】
この結果、従来のようなキーワードの入力、検索、文書への設定などの煩雑な操作が不用になる。また、文書などのデータに関係するリンク先が自動的に設定されるので、必要な情報を必要に応じて幅広く参照することができ、データの関連情報の収集に役立ち、文書等の校正等に役立つ。


【手続補正１２】
【補正対象書類名】明細書
【補正対象項目名】００５７
【補正方法】変更
【補正の内容】
【００５７】
本発明の第２又は第３の態様として実現されるリンク先アドレスの表示／アクセス装置又はリンク先アドレスのアクセス装置によれば、自動リンク付けされたドキュメントデータ内の各ドキュメント要素から、即座に対応するリンク先アドレスにアクセスすることが可能となる。


【手続補正１３】
【補正対象書類名】明細書
【補正対象項目名】００５８
【補正方法】変更
【補正の内容】
【００５８】
本発明の第４の態様として実現されるドキュメントデータファイルの配付装置によれば、自動リンク付けされた文書の配付が容易に可能となる。